(57)【要約】【課題】  車両に対する対象物の相対的な位置を安定して正確に認識させることができる。【解決手段】  ＨＵＤ装置は、車両に搭載されるＨＵＤ装置であって、車両に対する対象物の相対的な位置（以下では「相対位置」とも呼ぶ）を検出するレーザレーダ２００（検出系）と、該レーザレーダ２００での検出結果に基づいて、相対位置を指し示すための指示表示を表示エリア内に虚像として表示する、画像データ生成部８０４及び画像描画部８０６として機能する表示系と、を備え、該表示系は、指示表示の指示方向を相対位置の変化に追従させる表示制御手段９０２（制御手段）を含むＨＵＤ装置である。【選択図】図９
2018106655.tif 000002
【特許請求の範囲】
【請求項１】
車両に搭載されるＨＵＤ装置であって、
前記車両に対する対象物の相対的な位置を検出する検出系と、
前記検出系での検出結果に基づいて、前記位置を指し示すための指示表示を表示エリア内に虚像として表示する表示系と、を備え、
前記表示系は、前記指示表示の指示方向を前記位置の変化に追従させる制御手段を含むことを特徴とするＨＵＤ装置。
【請求項２】
車両に搭載されるＨＵＤ装置において、
前記車両に搭載され該車両に対する対象物の相対的な位置を検出する検出装置での検出結果に基づいて、前記位置を指し示すための指示表示を表示エリア内に虚像として表示する表示系を備え、
前記表示系は、前記指示表示の指示方向を前記位置の変化に追従させる制御手段を含むことを特徴とするＨＵＤ装置。
【請求項３】
前記制御手段は、前記指示表示の前記表示エリア内における表示位置を前記位置の変化に追従させることを特徴とする請求項１又は２に記載のＨＵＤ装置。
【請求項４】
前記制御手段は、前記車両内の基準視点と、前記表示エリア内の前記対象物寄りの点とを結ぶ線分上に前記指示表示を表示することを特徴とする請求項１〜３のいずれか一項に記載のＨＵＤ装置。
【請求項５】
前記制御手段は、前記対象物の少なくとも一部が前記表示エリアの画角内にある場合に、前記指示表示を、前記指示方向が前記線分に対して平行となるよう表示することを特徴とする請求項４に記載のＨＵＤ装置。
【請求項６】
前記制御手段は、前記対象物の全体が前記表示エリアの画角外にある場合に、前記指示表示を、前記指示方向が前記線分に対して角度を成すよう表示することを特徴とする請求項４に記載のＨＵＤ装置。
【請求項７】
前記制御手段は、前記指示表示を表示する際、該指示表示を前記表示エリア内において前記線分上で前記基準視点側から前記対象物寄りの点側へ移動させることを特徴とする請求項４〜６のいずれか一項に記載のＨＵＤ装置。
【請求項８】
前記制御手段は、
前記対象物が複数ある場合に、前記指示表示で指示すべき優先順位が第１位の一の前記対象物を前記指示表示で指示する指示対象に決定し、
前記第１位が変更になったとき、前記指示対象を前記一の対象物から前記変更後の第１位の別の前記対象物に切り替えることを特徴とする請求項１〜７のいずれか一項に記載のＨＵＤ装置。
【請求項９】
前記制御手段は、前記指示対象を一の対象物から前記他の対象物に切り替えるとき、前記指示表示を前記表示エリア内において前記一の対象物に近い位置から前記他の対象物に近い位置に移動させることを特徴とする請求項８に記載のＨＵＤ装置。
【請求項１０】
前記制御手段は、前記指示表示を曲線に沿って移動させることを特徴とする請求項９に記載のＨＵＤ装置。
【請求項１１】
前記制御手段は、前記指示対象を前記一の対象物から前記他の対象物に切り替えるとき、その切り替えを認識させるための表示を前記表示エリア内で行うことを特徴とする請求項８〜１０のいずれか一項に記載のＨＵＤ装置。
【請求項１２】
前記制御手段は、前記対象物が存在しない場合、前記指示表示を前記表示エリア内に表示しないことを特徴とする請求項１〜１１のいずれか一項に記載のＨＵＤ装置。
【請求項１３】
前記表示系は、
光により前記指示表示の画像を形成する形成手段と、
前記画像を形成する光を透過反射部材に導く導光手段と、を含むことを特徴とする請求項１〜１２のいずれか一項に記載のＨＵＤ装置。
【請求項１４】
請求項１〜１３のいずれか一項に記載のＨＵＤ装置と、
前記ＨＵＤ装置が搭載される車両と、を備える車両装置。
【請求項１５】
車両に対する対象物の相対的な位置を指し示すための指示表示を表示エリア内に虚像として表示する表示方法であって、
前記位置を検出する第１の検出工程と、
前記指示表示を前記第１の検出工程で検出された前記位置に向けて表示する工程と、
前記位置を検出する第２の検出工程と、
前記第１及び第２の検出工程で検出された前記位置が異なる場合に、前記指示表示を前記第２の検出工程で検出された前記位置に向ける工程と、を含む表示方法。
【請求項１６】
前記位置を検出する第３の検出工程と、
前記第２及び第３の検出工程で検出された前記位置が異なる場合に、前記指示表示を前記第３の検出工程で検出された前記位置に向ける工程と、を更に含むことを特徴とする請求項１５に記載の表示方法。
【請求項１７】
車両に対する対象物の相対的な位置を指し示すための指示表示を虚像として表示する表示方法であって、
前記対象物が複数ある場合に、該複数の対象物の前記位置を検出する第１の検出工程と、
前記第１の検出工程での検出結果に基づいて、前記複数の対象物から前記指示表示で指示すべき優先順位が第１位の前記対象物を選択する第１の選択工程と、
前記指示表示を前記第１の選択工程で選択された前記対象物の前記第１の検出工程で検出された前記位置に向けて表示する工程と、
前記対象物が複数ある場合に、該複数の対象物の前記位置を検出する第２の検出工程と、
前記第２の検出工程での検出結果に基づいて、前記複数の対象物から前記指示表示で指示すべき優先順位が第１位の前記対象物を選択する第２の選択工程と、
前記第１及び第２の選択工程で選択された前記対象物が同じ場合、かつ該対象物の前記第１及び第２の検出工程で検出された前記位置が異なる場合に前記指示表示を該対象物の前記第２の検出工程で検出された前記位置に向け、前記第１及び第２の選択工程で選択された前記対象物が異なる場合に、前記指示表示を前記第２の選択工程で選択された前記対象物の前記第２の検出工程で検出された前記位置に向ける工程と、を含む表示方法。
【請求項１８】
前記対象物が複数ある場合に、該複数の対象物の位置を検出する第３の検出工程と、
前記第３の検出工程での検出結果に基づいて、前記複数の対象物から前記指示表示で指示すべき優先順位が第１位の前記対象物を選択する第３の選択工程と、
前記第２及び第３の選択工程で選択された前記対象物が同じ場合、かつ該対象物の前記第２及び第３の検出工程で検出された前記位置が異なる場合に、前記指示表示を該対象物の前記第３の検出工程で検出された前記位置に向け、前記第２及び第３の選択工程で選択された前記対象物が異なる場合に、前記指示表示を前記第３の選択工程で選択された前記対象物の前記第３の検出工程で検出された前記位置に向ける工程と、を更に含むことを特徴とする請求項１７に記載の表示方法。
【発明の詳細な説明】
【技術分野】
【０００１】
本発明は、ＨＵＤ装置、車両装置及び表示方法に関する。
【背景技術】
【０００２】
従来、車両に搭載され、対象物を特定するマークを表示エリア内に虚像として表示するＨＵＤ装置が知られている（例えば特許文献１参照）。
【発明の概要】
【発明が解決しようとする課題】
【０００３】
しかしながら、特許文献１に開示されているＨＵＤ装置では、車両に対する対象物の相対的な位置を安定して正確に認識させることに関して改善の余地があった。
【課題を解決するための手段】
【０００４】
本発明は、車両に搭載されるＨＵＤ装置であって、前記車両に対する対象物の相対的な位置を検出する検出系と、前記検出系での検出結果に基づいて、前記位置を指し示すための指示表示を表示エリア内に虚像として表示する表示系と、を備え、前記表示系は、前記指示表示の指示方向を前記位置の変化に追従させる制御手段を含むことを特徴とするＨＵＤ装置である。
【発明の効果】
【０００５】
本発明によれば、車両に対する対象物の相対的な位置を安定して正確に認識させることができる。
【図面の簡単な説明】
【０００６】
【図１】一実施形態のＨＵＤ装置の概略構成を示す図である。
【図２】ＨＵＤ装置の制御系のハードウェア構成を示すブロック図である。
【図３】ＨＵＤ装置の機能ブロック図である。
【図４】ＨＵＤ装置の光源装置について説明するための図である。
【図５】ＨＵＤ装置の光偏向器について説明するための図である。
【図６】光偏向器のミラーと走査範囲の対応関係を示す図である。
【図７】２次元走査時の走査線軌跡の一例を示す図である。
【図８】図８（Ａ）及び図８（Ｂ）は、マイクロレンズアレイにおいて入射光束径とレンズ径の大小関係の違いによる作用の違いについて説明するための図である。
【図９】画像データ生成部の構成例を示すブロック図である。
【図１０】図１０（Ａ）〜図１０（Ｄ）は、対象物が自車両の前方にあるときの指示表示の表示例を示す図である。
【図１１】図１１（Ａ）及び図１１（Ｂ）は、対象物が自車両の斜め前方にあるときの指示表示の表示例（その１）を示す図である。
【図１２】図１２（Ａ）及び図１２（Ｂ）は、対象物が自車両の斜め前方にあるときの指示表示の表示例（その２）を示す図である。
【図１３】対象物が上方から見て表示エリア内にあるときの指示表示の表示例を示す図である。
【図１４】対象物が上方から見て表示エリア外にあるときの指示表示の表示例を示す図である。
【図１５】対象物が上方及び視認者から見て表示エリア外にあるときの指示表示の表示例を示す図である。
【図１６】図１６（Ａ）及び図１６（Ｂ）は、指示表示を連続的に移動させて表示する例を説明するための図である。
【図１７】表示処理１を説明するためのフローチャートである。
【図１８】指示表示の位置及び向きを同一対象物の位置の変化に追従させる例を説明するための図である。
【図１９】表示処理２を説明するためのフローチャートである。
【図２０】図２０（Ａ）〜図２０（Ｃ）は、対象物が複数あるときに指示対象を切り替える例（その１）について説明するための図である。
【図２１】図２１（Ａ）〜図２１（Ｃ）は、対象物が複数あるときに指示対象を切り替える例（その２）について説明するための図である。
【図２２】図２２（Ａ）及び図２２（Ｂ）は、対象物が複数あるときに指示対象を切り替える際の指示表示の移動方法について説明するための図である。
【図２３】図２３（Ａ）及び図２３（Ｂ）は、複数の対象物を対応する複数の指示表示で指示する例を説明するための図である。
【図２４】図２４（Ａ）及び図２４（Ｂ）は、指示表示の向きを同一対象物の位置の変化に追従させる例を説明するための図である。
【図２５】図２５（Ａ）及び図２５（Ｂ）は、対象物が複数あるときに指示表示の向きを切り替える例を説明するための図である。
【図２６】図２６（Ａ）は指示表示の向きを同一対象物の連続的な位置の変化に追従させる例を説明するための図であり、図２６（Ｂ）は指示表示の向き及び長さを同一対象物の連続的な位置の変化に追従させる例を説明するための図である。
【発明を実施するための形態】
【０００７】
［概要］
以下に、一実施形態のＨＵＤ装置１００について図面を参照して説明する。なお、「ＨＵＤ」は「ヘッドアップディスプレイ」の略称である。
【０００８】
図１には、本実施形態のＨＵＤ装置１００の全体構成が概略的に示されている。
【０００９】
《ＨＵＤ装置の全体構成》
ところで、ヘッドアップディスプレイの投射方式は、液晶パネル、ＤＭＤパネル（デジタルミラーデバイスパネル）、蛍光表示管（ＶＦＤ）のようなイメージングデバイスで中間像を形成する「パネル方式」と、レーザ光源から射出されたレーザビームを２次元走査デバイスで走査し中間像を形成する「レーザ走査方式」がある。特に後者のレーザ走査方式は、全画面発光の部分的遮光で画像を形成するパネル方式とは違い、各画素に対して発光／非発光を割り当てることができるため、一般に高コントラストの画像を形成することができる。
【００１０】
そこで、ＨＵＤ装置１００では「レーザ走査方式」を採用している。無論、投射方式として上記「パネル方式」を用いることもできる。
【００１１】
ＨＵＤ装置１００は、一例として、車両に搭載され、該車両のフロントウインドシールド５０（図１参照）を介して該車両の操縦に必要なナビゲーション情報（例えば車両の速度、進路情報、目的地までの距離、現在地名称、車両前方における物体（対象物）の有無や位置、制限速度等の標識、渋滞情報などの情報）を視認可能にする。この場合、フロントウインドシールド５０は、入射された光の一部を透過させ、残部の少なくとも一部を反射させる透過反射部材としても機能する。以下では、ＨＵＤ装置１００がフロントウインドシールド５０を備える、車両としての自動車に搭載される例を、主に説明する。
【００１２】
ＨＵＤ装置１００は、図１に示されるように、光源装置１１、光偏向器１５及び走査ミラー２０を含む光走査装置１０と、スクリーン３０と、凹面ミラー４０とを備え、フロントウインドシールド５０に対して画像を形成する光（画像光）を照射することにより、視認者Ａ（ここでは自動車の乗員である運転者）の視点位置から虚像Ｉを視認可能にする。つまり、視認者Ａは、光走査装置１０によりスクリーンに形成（描画）される画像（中間像）を、フロントウインドシールド５０を介して虚像Ｉとして視認することができる。
【００１３】
ＨＵＤ装置１００は、一例として、自動車のダッシュボードの下方に配置されており、視認者Ａの視点位置からフロントウインドシールド５０までの距離は、数十ｃｍから精々１ｍ程度である。
【００１４】
ここでは、凹面ミラー４０は、虚像Ｉの結像位置が所望の位置になるように、一定の集光パワーを有するように既存の光学設計シミュレーションソフトを用いて設計されている。
【００１５】
ＨＵＤ装置１００では、虚像Ｉが視認者Ａの視点位置から例えば１ｍ以上かつ３０ｍ以下（好ましくは１０ｍ以下）の位置（奥行位置）に表示されるように、凹面ミラー４０の集光パワーが設定されている。
【００１６】
なお、通常、フロントウインドシールドは、平面でなく、僅かに湾曲している。このため、凹面ミラー４０とフロントウインドシールド５０の曲面により、虚像Ｉの結像位置が決定される。
【００１７】
光源装置１１では、画像データに応じて変調されたＲ,Ｇ,Ｂの３色のレーザ光が合成される。３色のレーザ光が合成された合成光は、光偏向器１５の反射面に導かれる。偏向手段としての光偏向器１５は、半導体製造プロセス等で作製された２軸のＭＥＭＳスキャナであり、直交する２軸周りに独立に揺動可能な単一の微小ミラーを含む。光源装置１１、光偏向器１５の詳細は、後述する。
【００１８】
光源装置１１からの画像データに応じた光（合成光）は、光偏向器１５で偏向され、走査ミラー２０で折り返されてスクリーン３０に照射される。そこで、スクリーン３０が光走査され該スクリーン３０上に中間像が形成される。すなわち、光偏向器１５と走査ミラー２０を含んで光走査系が構成される。なお、凹面ミラー４０は、フロントウインドシールド５０の影響で中間像の水平線が上または下に凸形状となる光学歪み要素を補正するように設計、配置されることが好ましい。
【００１９】
スクリーン３０を介した光は、凹面ミラー４０でフロントウインドシールド５０に向けて反射される。フロントウインドシールド５０への入射光束の一部はフロントウインドシールド５０を透過し、残部の少なくとも一部は視認者Ａの視点位置に向けて反射される。この結果、視認者Ａはフロントウインドシールド５０を介して中間像の拡大された虚像Ｉを視認可能となる、すなわち、視認者から見て虚像Ｉがフロントウインドシールド５０越しに拡大表示される。
【００２０】
なお、フロントウインドシールド５０よりも視認者Ａの視点位置側に透過反射部材としてコンバイナを配置し、該コンバイナに凹面ミラー４０からの光を照射するようにしても、フロントウインドシールド５０のみの場合と同様に虚像表示を行うことができる。
【００２１】
《ＨＵＤ装置の制御系のハードウェア構成》
図２には、ＨＵＤ装置１００の制御系のハードウェア構成を示すブロック図が示されている。ＨＵＤ装置１００の制御系は、図２に示されるように、ＦＰＧＡ６００、ＣＰＵ６０２、ＲＯＭ６０４、ＲＡＭ６０６、Ｉ／Ｆ６０８、バスライン６１０、ＬＤドライバ６１１１、ＭＥＭＳコントローラ６１５を備えている。
【００２２】
ＦＰＧＡ６００は、画像データに応じてＬＤドライバ６１１１を介して後述するＬＤを動作させ、ＭＥＭＳコントローラ６１５を介して光偏向器１５を動作させる。ＣＰＵ６０２は、ＨＵＤ装置１００の各機能を制御する。ＲＯＭ６０４は、ＣＰＵ６０２がＨＵＤ装置１００の各機能を制御するために実行する画像処理用プログラムを記憶している。ＲＡＭ６０６は、ＣＰＵ６０２のワークエリアとして使用される。Ｉ／Ｆ６０８は、外部コントローラ等と通信するためのインターフェイスであり、例えば、自動車のＣＡＮ（Ｃｏｎｔｒｏｌｌｅｒ  Ａｒｅａ  Ｎｅｔｗｏｒｋ）等に接続される。
【００２３】
《ＨＵＤ装置の機能ブロック》
図３には、ＨＵＤ装置１００の機能を示すブロック図が示されている。ＨＵＤ装置１００は、図３に示されるように、車両情報入力部８００、外部情報入力部８０２、画像データ生成部８０４及び画像描画部８０６を備えている。車両情報入力部８００には、ＣＡＮ等から車両の情報（速度、走行距離、対象物の位置、外界の明るさ等の情報）が入力される。外部情報入力部８０２には、外部ネットワークから車両外部の情報（例えば自動車に搭載されたカーナビからのナビ情報等）が入力される。画像データ生成部８０４は、車両情報入力部８００、外部情報入力部８０２等から入力される情報に基づいて、描画すべき画像の画像データを生成し、画像描画部８０６に送信する。画像描画部８０６は、制御部８０６０を備え、受信した画像データに応じた画像を描画する。画像データ生成部８０４及び制御部８０６０は、ＦＰＧＡ６００によって実現される。画像描画部８０６は、ＦＰＧＡ６００に加えて、ＬＤドライバ６１１１、ＭＥＭＳコントローラ６１５、光走査装置１０、スクリーン３０、凹面ミラー４０等によって実現される。
【００２４】
《光源装置の構成》
図４には、光源装置１１の構成が示されている。光源装置１１は、図４に示されるように、単数あるいは複数の発光点を有する複数（例えば３つの）の発光素子１１１Ｒ、１１１Ｂ、１１１Ｇを含む。各発光素子は、ＬＤ（レーザダイオード）であり、互いに異なる波長λＲ、λＧ、λＢの光束を放射する。例えばλＲ＝６４０ｎｍ、λＧ＝５３０ｎｍ、λＢ＝４４５ｎｍである。以下では、発光素子１１１ＲをＬＤ１１１Ｒ、発光素子１１１ＧをＬＤ１１１Ｇ、発光素子１１１ＢをＬＤ１１１Ｂとも表記する。ＬＤ１１１Ｒ、１１１Ｇ、１１１Ｂから放射された波長λＲ、λＧ、λＢの光束は、対応するカップリングレンズ１１２Ｒ、１１２Ｇ、１１２Ｂにより後続の光学系にカップリングされる。カップリングされた光束は、対応するアパーチャ部材１１３Ｒ、１１３Ｇ、１１３Ｂにより整形される。各アパーチャ部材の開口形状は、光束の発散角等に応じて円形、楕円形、長方形、正方形等、様々な形状とすることができる。その後、対応するアパーチャ部材で整形された光束は、合成素子１１５により光路合成される。合成素子１１５は、プレート状あるいはプリズム状のダイクロイックミラーであり、波長に応じて光束を反射／透過し、１つの光路に合成する。合成された光束は、レンズ１１９により光偏向器１５の反射面に導かれる。レンズ１１９は、光偏向器１５側に凹面が向くメニスカスレンズである。
【００２５】
《光偏向器の構成》
図５には、光偏向器１５の構成が示されている。光偏向器１５は、半導体プロセスにて製造された２軸のＭＥＭＳスキャナであり、図５に示されるように、反射面を有するミラー１５０と、α軸方向に並ぶ複数の梁を含み、隣り合う２つの梁が折り返し部を介して蛇行するように接続された一対の蛇行部１５２とを有する。各蛇行部１５２の隣り合う２つの梁は、梁Ａ（１５２ａ）、梁Ｂ（１５２ｂ）とされ、枠部材１５４に支持されている。複数の梁には、複数の圧電部材１５６（例えばＰＺＴ）が個別に設けられている。各蛇行部の隣り合う２つの梁の圧電部材に異なる電圧を印加することで、該蛇行部の隣り合う２つの梁が異なる方向に撓み、それが蓄積されて、ミラー１５０がα軸周り（＝垂直方向）に大きな角度で回転することになる。このような構成により、α軸を中心とした垂直方向の光走査が、低電圧で可能となる。一方、β軸を中心とした水平方向では、ミラー１５０に接続されたトーションバーなどを利用した共振による光走査が行われる。
【００２６】
ＨＵＤ装置１００からは、瞬間的にはレーザビーム径に相当する点像しか投射されないが、非常に高速に走査させるため、一フレーム画像内では十分に人間の目に残像が残っている。この残像現象を利用することで、視認者には、あたかも「表示エリア」に像を投射させているように知覚される。実際には、スクリーンに映った像が、凹面ミラー４０とフロントウインドシールド５０によって反射されて視認者に「表示エリア」において虚像として知覚される。このような仕組みであるので、像を表示させない場合は、ＬＤの発光を停止すれば良い。つまり、「表示エリア」において虚像が表示される箇所以外の箇所の輝度を実質０にすることが可能となる。
【００２７】
すなわち、ＨＵＤ装置１００による虚像の結像位置は、該虚像を結像可能な所定の「表示エリア」内の任意の位置となる。この「表示エリア」は、ＨＵＤ装置の設計時の仕様で決まる。
【００２８】
このように、「レーザ走査方式」を採用したことにより、表示したい部分以外では、表示の必要がないためＬＤを消灯したり、光量を低下させたりするなどの措置を取ることができる。
【００２９】
これに対して、例えば液晶パネル及びＤＭＤパネルのようなイメージングデバイスで中間像を表現する「パネル方式」では、パネル全体を照明する必要があるため、画像信号としては非表示とするために黒表示であったとしても、液晶パネルやＤＭＤパネルの特性上、完全には０にし難い。このため、黒部が浮き上がって見えることがあったが、レーザ走査方式ではその黒浮きを無くすことが可能となる。
【００３０】
ところで、光源装置１１の各発光素子は、ＦＰＧＡ６００によって発光強度や点灯タイミング、光波形が制御され、ＬＤドライバ６１１１によって駆動され、光を射出する。各発光素子から射出され光路合成された光は、図６に示されるように、光偏向器１５によってα軸周り、β軸周りに２次元的に偏向され、走査ミラー２０（図１参照）を介して走査光としてスクリーン３０に照射される。すなわち、走査光によりスクリーン３０が２次元走査される。なお、図６では、走査ミラー２０の図示が省略されている。
【００３１】
走査光は、スクリーン３０の走査範囲を、２〜４万Ｈｚ程度の速い周波数で主走査方向に振動走査（往復走査）しつつ、数十Ｈｚ程度の遅い周波数で副走査方向に片道走査する。すなわち、ラスタースキャンが行われる。この際、走査位置（走査光の位置）に応じて各発光素子の発光制御を行うことで画素毎の描画、虚像の表示を行うことができる。
【００３２】
１画面を描画する時間、すなわち１フレーム分の走査時間（２次元走査の１周期）は、上記のように副走査周期が数十Ｈｚであることから、数十ｍｓｅｃとなる。例えば主走査周期２００００Ｈｚ、副走査周期を５０Ｈｚとすると、１フレーム分の走査時間は２０ｍｓｅｃとなる。
【００３３】
スクリーン３０は、図７に示されるように、画像が描画される（画像データに応じて変調された光が照射される）画像領域３０ａ（有効走査領域）と、該画像領域を取り囲むフレーム領域３０ｂとを含む。
【００３４】
ここで光偏向器１５によって走査しうる全範囲を「走査範囲」と呼ぶ。ここでは、走査範囲は、スクリーン３０における画像領域３０ａとフレーム領域３０ｂの一部（画像領域３０ａの外縁近傍の部分）を併せた範囲とされている。図７には、走査範囲における走査線の軌跡がジグザグ線によって示されている。図７においては、走査線の本数を、便宜上、実際よりも少なくしている。
【００３５】
スクリーン３０の画像領域３０ａは、例えばマイクロレンズアレイ等の光拡散効果を持つ透過型の素子で構成されている。画像領域は、矩形、あるいは平面である必要はなく、多角形や曲面であっても構わない。また、スクリーン３０は、光拡散効果を持たない平板や曲板であっても良い。また、画像領域は、装置レイアウトによっては例えばマイクロミラーアレイ等の光拡散効果を持つ反射型の素子とすることもできる。
【００３６】
以下に、図８（Ａ）及び図８（Ｂ）を参照して、スクリーン３０の画像領域に用いられるマイクロレンズアレイにおける拡散と干渉性ノイズ発生について説明する。
図８（Ａ）において、符号８５２はマイクロレンズアレイを示す。マイクロレンズアレイ８５２は、微細凸レンズ８５１を配列した微細凸レンズ構造を有する。符号８５３で示す「画素表示用ビーム」の光束径８５７は、微細凸レンズ８５１の大きさよりも小さい。すなわち、微細凸レンズ８５１の大きさ８５６は、光束径８５７よりも大きい。なお、説明中の形態例で、画素表示用ビーム８５３はレーザ光束であり、光束中心のまわりにガウス分布状の光強度分布をなす。従って、光束径８５７は、光強度分布における光強度が「１／ｅ２」に低下する光束半径方向距離である。
図８（Ａ）では、光束径８５７は微細凸レンズ８５１の大きさ８５６に等しく描かれているが、光束径８５７が「微細凸レンズ８５１の大きさ８５６」に等しい必要は無い。微細凸レンズ８５１の大きさ８５６を食み出さなければよい。
図８（Ａ）において、画素表示用ビーム８５３は、その全体が１個の微細凸レンズ８５１に入射し、発散角８５５をもつ拡散光束８５４に変換される。なお、「発散角」は、以下において「拡散角」と呼ぶこともある。
図８（Ａ）の状態では、拡散光束８５４は１つで、干渉する光束が無いので、干渉性ノイズは発生しない。なお、発散角８５５の大きさは、微細凸レンズ８５１の形状により適宜設定できる。
図８（Ｂ）では、画素表示用ビーム８１１は、光束径が微細凸レンズの配列ピッチ８１２の２倍となっており、２個の微細凸レンズ８１３、８１４に跨って入射している。この場合、画素表示用ビーム８１１は、入射する２つの微細凸レンズ８１３、８１４により２つの発散光束８１５、８１６のように拡散される。２つの発散光束８１５、８１６は、領域８１７において重なり合い、この部分で互いに干渉して干渉性ノイズを発生する。
【００３７】
図７に戻り、走査範囲における画像領域３０ａの周辺領域（フレーム領域３０ｂの一部）には、受光素子を含む同期検知系６０が設置されている。ここでは、同期検知系６０は、画像領域の−Ｘ側かつ＋Ｙ側の隅部の＋Ｙ側に配置されている。以下では、スクリーン３０の主走査方向をＸ方向とし、副走査方向をＹ方向として説明する。
【００３８】
同期検知系６０は、光偏向器１５の動作を検出して、走査開始タイミングや走査終了タイミングを決定するための同期信号をＦＰＧＡ６００に出力する。
【００３９】
［詳細］
《指示表示》
ところで、車両の運転者は主にフロントウインドシールド５０越しの視界内の情報を頼りに車両の運転操作を行うが、安全運転を促進するためには、特に他車両、歩行者、障害物等の対象物の位置を運転者に正確に認識させることが要求される。
【００４０】
そこで、ＨＵＤ装置１００では、対象物を指示する指示表示を表示エリア内に虚像として表示する（例えば図１０参照）
【００４１】
ＨＵＤ装置１００は、この「指示表示」を表示するための構成として、上述した基本的な構成に加えて、図９に示されるように、対象物の位置を検出する検出系としてのレーザレーダ２００を備えるとともに、画像データ生成部８０４に必要な構成、機能が盛り込まれている。
【００４２】
なお、「検出系」は、「指示表示」を表示するための専用のものでなくても良く、例えば車両の自動制御（例えばオートブレーキ、オートステアリング等）に用いられる検出装置を利用しても良い。このような「検出装置」を利用する場合には、ＨＵＤ装置は、検出系を備える必要がない。
【００４３】
また、「検出系」や「検出装置」としては、要は、車両の前方（斜め前方を含む）における対象物の有無及び位置を検出できるものであれば良く、レーザレーダ（例えば半導体レーザを光源に用いるレーダ）の代わりに、ＬＥＤを光源に用いたレーダ、ミリ波レーダ、赤外線レーダ、単眼カメラ、ステレオカメラ、あるいはこれらの組み合わせを用いても良い。
【００４４】
レーザレーダ２００は、例えば自動車のフロントバンパー、バックミラー付近等に装着されており、検出結果である対象物の３次元位置情報（距離画像とも呼ぶ）を車両情報入力部８００を介して画像データ生成部８０４に送る。
【００４５】
レーザレーダ２００は、少なくとも１つのレーザ光源（例えば半導体レーザ）を含む投光系と、該投光系から投光され対象物で反射された光を受光する少なくとも１つの受光素子（例えばフォトダイオード）を含む受光系と、対象物までの距離を演算する処理系とを有する。レーザレーダ２００の投光範囲は、自車両前方及び斜め前方の所定範囲となっている。レーザレーダ２００の測距方式は、レーザ光源の発光タイミングと受光素子の受光タイミングとの時間差を算出し該時間差から対象物までの距離を求める直接ＴＯＦ方式であっても良いし、受光素子の受光信号を複数の位相信号に分割し該複数の位相信号を用いた演算によって上記時間差を算出し、該時間差から対象物までの距離を求める間接ＴＯＦ方式であっても良い。また、投光系は、走査型及び非走査型のいずれであっても良い。
【００４６】
画像データ生成部８０４は、表示制御手段９０２と、指示表示データ生成手段９０３とを含む。
【００４７】
表示制御手段９０２は、レーザレーダ２００での検出結果に基づいて指示表示の指示方向及び表示エリア内における指示表示の表示位置（以下では「指示表示位置」とも呼ぶ）を設定し、指示方向及び指示表示位置の設定情報を指示表示データ生成手段９０３に送る。
【００４８】
指示表示データ生成手段９０３は、受信した指示方向及び指示表示位置の設定情報に基づいて指示表示の画像データを生成し、制御部８０６０に送る。
【００４９】
制御部８０６０は、受信した指示表示の画像データに基づいてＬＤドライバ６１１１及びＭＥＭＳコントローラ６１５を制御して、指示表示を表示エリア内に虚像として表示する。
【００５０】
このようにして、例えば図１０に示されるように自車両の前方風景に重なる表示エリア内に対象物（例えば前方車両）の位置を指し示す指示表示が表示されれば、運転者は対象物の位置を正確に認識（把握）できる。
【００５１】
ここで、指示表示は、例えば図１０に示される矢印、Ｖ字等の任意の一方向を指し示すことができる表示であれば良い。本明細書では、指示表示が指し示す一方向を「指示方向」とも呼ぶ。指示表示の大きさは、表示エリア内に表示可能な大きさであれば良い。なお、図１０等では、指示表示は、対象物の、自車両の進行方向に直交する面内における２次元位置を示す２次元形状のみを有するかの如く図示されているが、図１３等から分かるように、実際には、対象物の、車両の進行方向に直交する面内における２次元位置及び車両の進行方向の１次元位置を示す３次元形状を有しているため、視認者からは、指示表示が対象物の３次元位置を指示しているように見える。
【００５２】
ここで、表示エリアは、一例として上方から見て自車両から離れるほど広がる略等脚台形状であって（例えば図１３参照）、車両の進行方向に直交する断面（以下では、単に「断面」とも呼ぶ）が矩形（例えば図１０参照）の四角錐台形状となっている。すなわち、表示エリアは、自車両から離れるほど断面が大きくなる。
【００５３】
図１０では、指示表示の指示方向を対象物の方向（視認者から見て上方成分と前方成分を含む方向）に向けるとともに、指示表示の表示エリア内における位置を対象物に近い位置としている。
【００５４】
図１０（Ａ）及び図１０（Ｂ）には、対象物の全体が表示エリアの画角（広がり角）から上方に外れている例が示されている。なお、図１０（Ａ）は視認者から見た図であり、図１０（Ｂ）は図１０（Ａ）の状態を横から見た図である。図１０（Ｃ）及び図１０（Ｄ）には、対象物の下半部が表示エリアの画角内に入っている例が示されている。なお、図１０（Ｃ）は視認者から見た図であり、図１０（Ｄ）は図１０（Ｃ）の状態を横から見た図である。
【００５５】
図１０（Ａ）及び図１０（Ｂ）の例では、指示表示としての矢印が、視認者の視点位置と、対象物の中心を通る鉛直線上における表示エリアの上端付近の位置とを結ぶ線分上に該線分に対して指示方向（矢印の向き）が、対象物を通る鉛直線上における対象物の下端位置を向くように角度を成して表示されている。
【００５６】
図１０（Ｃ）及び図１０（Ｄ）の例では、指示表示としての矢印が、視認者の視点位置と、対象物の中心を通る鉛直線上における該対象物の下端付近の位置とを結ぶ線分上に該線分に対して指示方向（矢印の向き）が平行になるように表示されている。
【００５７】
図１１では、指示表示の指示方向を対象物の方向（視認者から見て上方成分と前方成分と横方成分を含む方向）に向けるとともに、指示表示の表示エリア内における位置を対象物に近い位置としている。
【００５８】
図１１（Ａ）には、視認者から見て、対象物の全体が表示エリアの画角から斜め上方に外れている例が示されている。図１１（Ｂ）には、視認者から見て、対象物の左下部分が表示エリアの画角内に入っている例が示されている。
【００５９】
図１１（Ａ）の例では、指示表示としての矢印が、視認者の視点位置と、対象物の中心を通る鉛直線上における表示エリアの上端付近の位置とを結ぶ線分（視認者から見て水平方向に対して角度Ｒ１を成す線分）上に該線分に対して指示方向（矢印の向き）が、対象物の中心を通る鉛直線上における対象物の下端位置を向くように角度を成して表示されている。なお、角度Ｒ１は、自車両のロール方向の角度である。
【００６０】
図１１（Ｂ）の例では、指示表示としての矢印が、視認者の視点位置と、対象物の中心を通る鉛直線上における該対象物の下端位置とを結ぶ線分（視認者から見て水平方向に対して角度Ｒ１を成す線分）上に該線分に対して指示方向（矢印の向き）が平行になるように表示されている。
【００６１】
図１２では、指示表示の指示方向を対象物の方向（視認者から見て上方成分と前方成分と横方成分を含む方向）に向けるとともに、指示表示の表示エリア内における位置を対象物に近い位置としている。
【００６２】
図１２（Ａ）には、視認者から見て、対象物の全体が表示エリアの画角から斜め上方に外れている例が示されている。図１２（Ｂ）には、視認者から見て、対象物の左下部分が表示エリアの画角内に入っている例が示されている。
【００６３】
図１２（Ａ）の例では、指示表示としての矢印が、視認者の視点位置と、対象物の中心とを結ぶ線分（視認者から見て水平方向に対して角度Ｒ１を成す線分）上に該線分に対して指示方向（矢印の向き）が対象物の中心の方を向くように角度を成して表示されている。なお、角度Ｒ１は、自車両のロール方向の角度である。
【００６４】
図１２（Ｂ）の例では、指示表示としての矢印が、視認者の視点位置と、対象物の中心とを結ぶ線分（視認者から見て水平方向に対して角度Ｒ１を成す線分）上に該線分に対して指示方向（矢印の向き）が平行になるように表示されている。
【００６５】
図１３には、上方から見て、対象物が自車両の斜め前方にあり、かつ該対象物の後半部が表示エリア内にある例が示されている。図１３では、指示表示が、上方から見て、自車両の進行方向に対して角度Ｒ２を成す線分（視認者の視点位置と対象物後端を結ぶ線分）上に該線分に対して指示方向が平行となるように表示されている。なお、角度Ｒ２は、自車両のヨー方向の角度である。
【００６６】
図１４には、上方から見て、対象物が自車両の斜め前方であって表示エリアの前にある例が示されている。図１４では、指示表示が、上方から見て、自車両の進行方向に対して角度Ｒ２を成す線分（視認者の視点位置と対象物後端を結ぶ線分）上に該線分に対して指示方向が平行となるように表示されている。
【００６７】
図１３及び図１４のように、対象物の少なくとも一部が表示エリアの画角（広がり角）内に収まるときは、指示表示の方向及び位置を、自車両から対象物までの距離と、角度Ｒ２と、角度Ｒ１（図１１及び図１２参照）を用いて設定することができる。この場合、角度Ｒ１、角度Ｒ２は、視認者の視点位置と対象物とを結ぶ線分の方向から得られる。
【００６８】
図１５には、上方から見て、対象物が自車両の斜め前方であって表示エリアの横にある例が示されている。図１５では、指示表示が、上方から見て、自車両の進行方向に対して角度Ｒ２を成す線分上に該線分に対して指示方向が角度Ｒ３を成して（ここでは対象物の後端を指すように）表示されている。このように、対象物が表示エリアの画角から外れているときは、指示表示の方向及び位置を、自車両から対象物までの距離と角度Ｒ２と角度Ｒ１に加えて、角度Ｒ３を用いて設定する必要がある。なお、角度Ｒ３は、自車両のヨー方向の角度である。また、指示表示を実空間で角度Ｒ３回転させると引き伸ばされて表示されて視認しづらくなるため、実空間へ投影させる前のテンプレート画像内で角度Ｒ３回転させることが好ましい。
【００６９】
ここでは、指示表示の先端から対象物の後端までの距離Ｌが予め設計値として定められており、この設計値の条件を満たしつつ、指示表示が表示エリア内に収まるように角度Ｒ１、角度Ｒ２及び角度Ｒ３を決める。
【００７０】
ここで、指示表示を初めて表示させるときや、表示から非表示に切り替えた後さらに非表示から表示に切り替えるときは、例えば図１６（Ａ）及び図１６（Ｂ）に示されるように、指示表示を表示エリア内において基準点から対象物に近い位置（以下では「近接位置」とも呼ぶ）に向けて移動させ、近接位置で停止させることが好ましい。この場合、対象物が検出された位置を視認者に体感的に容易に理解させることができる。
【００７１】
次に、本実施形態のＨＵＤ装置１００で実施される表示処理１について図１７を参照して説明する。図１７のフローチャートは、ＣＰＵ６０２によって実行される処理アルゴリズムに基づいている。表示処理１は、ＨＵＤ装置１００が搭載される自動車（自車両）の電気系統がＯＮになったときに開始される。
【００７２】
最初のステップＳ１では、対象物があるか否かを判断する。具体的には、ＣＰＵ６０２が、レーザレーダ２００から「対象物あり」の検出結果を受信したときに「対象物あり」と判断する。ステップＳ１での判断が肯定されるとステップＳ２に移行し、否定されるとステップＳ１０に移行する。
【００７３】
ステップＳ２では、当該対象物の位置情報を取得する。具体的には、レーザレーダ２００が当該対象物の３次元位置情報を検出し、該３次元位置情報を表示制御手段９０２及びＣＰＵ６０２に送信する。ＣＰＵ６０２は、受信した対象物の３次元位置情報をＲＡＭ６０６に保存する。
【００７４】
次のステップＳ３では、指示表示の指示方向及び表示位置を設定する。具体的には、表示制御手段９０２が、受信した対象物の３次元位置情報に基づいて指示表示の指示方向及び表示位置を設定し、その設定情報を指示表示データ生成手段９０３に送信する。指示表示データ生成手段９０３は、受信した設定情報における指示方向及び表示位置と、指示表示の基準位置からの表示位置までの移動経路に関する情報を含む指示表示データを生成し、制御部８０６０に送信する。
【００７５】
次のステップＳ４では、指示表示を虚像として表示する。具体的には、制御部８０６０が、受信した指示表示データに基づいてＬＤ６１１１及びＭＥＭＳコントローラ６１５を制御して、指示表示を表示エリア内に虚像として表示する。この際、指示表示は、表示エリア内において基準点に表示されてから表示位置に向けて直線的に移動し表示位置で停止する。
【００７６】
次のステップＳ５では、当該対象物があるか否かを判断する。具体的には、ＣＰＵ６０２が、レーザレーダ２００から「当該対象物あり」の検出結果を受信したときに「当該対象物あり」と判断する。ステップＳ５での判断が肯定されるとステップＳ６に移行し、否定されるとステップＳ１０に移行する。
【００７７】
ステップＳ６では、当該対象物の位置情報を取得する。具体的には、レーザレーダ２００が当該対象物の３次元位置情報を検出し、該３次元位置情報をＣＰＵ６０２に送信する。ＣＰＵ６０２は、受信した対象物の３次元位置情報をＲＡＭ６０６に保存する。
【００７８】
次のステップＳ７では、当該対象物が自車両に対して相対的に移動したか否かを判断する。具体的には、ＣＰＵ６０２が前回取得した３次元位置情報と新たに取得した３次元位置情報を比較することにより当該対象物の移動の有無を判定する。なお、例えば、自車両が停止し、かつ対象物が停止した移動物体もしくは静止物体である場合や、自車両と対象物が同一方向に同一の速さで移動している場合には、対象物が自車両に対して相対的に移動していないことになる。ステップＳ７での判断が肯定されるとステップＳ８に移行し、否定されるとステップＳ５に戻る。
【００７９】
ステップＳ８では、指示表示の指示方向及び表示位置を再設定する。具体的には、ＣＰＵ６０２が対象物の最新の３次元位置情報を表示制御手段９０２に送信する。表示制御手段９０２は、受信した対象物の最新の３次元位置情報に基づいて指示表示の指示方向及び表示位置を再設定し、その設定情報を指示表示データ生成手段９０３に送信する。指示表示データ生成手段９０３は、受信した設定情報における指示方向及び表示位置と、指示表示の現在の表示位置から再設定後の表示位置までの移動経路及び該移動経路上での向き（図１８参照）に関する情報を含む指示表示データを生成し、制御部８０６０に送信する。なお、図１８には、指示表示を同一対象物の移動に追従させて移動させる具体例が示され、初期の対象物及び指示表示が実線で表され、再設定毎の対象物及び指示表示が仮想線で表されている。
【００８０】
ステップＳ９では、指示表示の指示方向及び表示位置を再設定後の状態に移行させる。具体的には、制御部８０６０が、受信した指示表示データに基づいてＬＤ６１１１及びＭＥＭＳコントローラ６１５を制御して、指示表示を表示エリア内で再設定後の指示方向及び表示位置になるよう向きを変えつつ移動させる（図１８参照）。ステップＳ９が実行されると、ステップＳ５に戻る。
【００８１】
ステップＳ１０では、指示表示が表示されているか否かを判断する。ここでの判断が肯定されるとステップＳ１１に移行し、否定されるとステップＳ１２に移行する。
【００８２】
ステップＳ１１では、指示表示を非表示とする。指示表示により指示すべき対象物が存在しない場合に指示表示を表示させる必要がなく、また誤解を招くからである。具体的には、ＣＰＵ６０２が制御部８０６０に非表示の要求を送信する。制御部８０６０は、非表示の要求を受信すると表示を停止させる。ステップＳ１１が実行されると、ステップＳ１２に移行する。
【００８３】
ステップＳ１２では、処理終了か否かを判断する。ここでの判断が肯定されるとフローは終了し、否定されるとステップＳ１に戻る。ここでは、ＨＵＤ装置１００が搭載される自動車（自車両）の電気系統がＯＮのままのときは処理を継続させ、ＯＦＦになったときに処理を終了させる。
【００８４】
以上説明した表示処理１は、対象物が単一の場合を想定したものとなっているが、実際には、対象物は複数であることが多く、その場合、複数の対象物と自車両との位置関係の変化に応じて指示表示により指示する対象物を切り換えることが好ましい。そこで、以下に、対象物が単数の場合のみならず複数の場合も想定した表示処理２について説明する。
【００８５】
本実施形態のＨＵＤ装置１００で実施される表示処理２について図１９を参照して説明する。図１９のフローチャートは、ＣＰＵ６０２によって実行される処理アルゴリズムに基づいている。表示処理１は、ＨＵＤ装置１００が搭載される自動車（自車両）の電気系統がＯＮになったときに開始される。
【００８６】
最初のステップＳ２１では、対象物があるか否かを判断する。具体的には、ＣＰＵ６０２が、レーザレーダ２００から「対象物あり」の検出結果を受信したときに「対象物あり」と判断する。ステップＳ２１での判断が肯定されるとステップＳ２２に移行し、否定されるとステップＳ３６に移行する。
【００８７】
ステップＳ２２では、対象物が複数であるか否かを判断する。具体的には、ＣＰＵ６０２が、ステップＳ１でレーザレーダ２００から受信した検出結果が「対象物が複数であること」を示す場合には対象物が複数であると判定し、「対象物が単数であること」を示す場合には対象物が単数であると判定する。ステップＳ２２での判断が肯定されるとステップＳ２３に移行し、否定されるとステップＳ２４に移行する。
【００８８】
ステップＳ２３では、複数の対象物の位置情報を取得する。具体的には、レーザレーダ２００が複数の対象物の３次元位置情報を検出し、該３次元位置情報をＣＰＵ６０２に送信する。ＣＰＵ６０２は、受信した複数の対象物の３次元位置情報をＲＡＭ６０６に保存する。ステップＳ２３が実行されると、ステップＳ２５に移行する。
【００８９】
ステップＳ２４では、唯一の対象物を指示対象に決定し、その位置情報を取得する。具体的には、レーザレーダ２００が指示対象の３次元位置情報を検出し、該３次元位置情報を表示制御手段９０２及びＣＰＵ６０２に送信する。ＣＰＵ６０２は、受信した指示対象の３次元位置情報をＲＡＭ６０６に保存する。ステップＳ２４が実行されると、ステップＳ２６に移行する。
【００９０】
ステップＳ２５では、指示表示により指示すべき優先順位が第１位の対象物を指示対象に決定し、その位置情報を読み出す。この優先順位の「第１位」の決め方としては、ステップＳ２３で取得された複数の対象物の３次元位置情報に基づいて、例えば同一車線内にある対象物（例えば前方車両）のうち自車両に最も近いものの優先順位を第１位としても良いし（図２０参照）、自車両に最も近い対象物（例えば他の対象物、歩行者、障害物等）の優先順位を第１位としても良い（図２１参照）。ＣＰＵ６０２は、指示対象を決定した後、該指示対象の３次元位置情報をＲＡＭ６０６から読み出し表示制御手段９０２に送信する。ステップＳ２５が実行されると、ステップＳ２６に移行する。
【００９１】
ステップＳ２６では、指示表示の指示方向及び表示位置を設定する。具体的には、表示制御手段９０２が、受信した指示対象の３次元位置情報に基づいて指示表示の指示方向及び表示位置を設定し、その設定情報を指示表示データ生成手段９０３に送信する。指示表示データ生成手段９０３は、受信した設定情報における指示方向及び表示位置と、基準位置からの表示位置までの移動経路に関する情報を含む指示表示データを生成し、制御部８０６０に送信する。
【００９２】
次のステップＳ２７では、指示表示を虚像として表示する。具体的には、制御部８０６０が、受信した指示表示データに基づいてＬＤ６１１１及びＭＥＭＳコントローラ６１５を制御して、指示表示を表示エリア内に虚像として表示する。この際、指示表示は、表示エリア内において基準点に表示されてから表示位置に向けて直線的に移動し表示位置で停止する。
【００９３】
次のステップＳ２８では、指示対象があるか否かを判断する。具体的には、ＣＰＵ６０２が、レーザレーダ２００から「指示対象あり」の検出結果を受信したときに「指示対象あり」と判断する。ステップＳ２８での判断が肯定されるとステップＳ２９に移行し、否定されるとステップＳ２１に戻る。
【００９４】
ステップＳ２９では、他の対象物があるか否かを判断する。具体的には、ＣＰＵ６０２が、レーザレーダ２００から「他の対象物あり」の検出結果を受信したときに「他の対象物あり」と判断する。ステップＳ２９での判断が肯定されるとステップＳ３０に移行し、否定されるとステップＳ２９．５に移行する。
【００９５】
ステップＳ２９．５では、指示対象の位置情報を取得する。具体的には、レーザレーダ２００が指示対象の３次元位置情報を検出し、該３次元位置情報をＣＰＵ６０２に送信する。ＣＰＵ６０２は、受信した指示対象の３次元位置情報をＲＡＭ６０６に保存する。ステップＳ２９．５が実行されると、ステップＳ３３に移行する。
【００９６】
ステップＳ３０では、指示対象を含む複数の対象物の位置情報を取得する。具体的には、レーザレーダ２００が指示対象を含む複数の対象物の３次元位置情報を検出し、該３次元位置情報をＣＰＵ６０２に送信する。ステップＳ３０が実行されると、ステップＳ３１に移行する。
【００９７】
ステップＳ３１では、指示表示により指示すべき優先順位が第１位の対象物を指示対象に決定する。この優先順位の「第１位」の決め方としては、例えば同一車線内にある前方車両のうち自車両に最も近いものの優先順位を第１位としても良いし（図２０参照）、自車両に最も近い他の対象物、歩行者、障害物等の優先順位を第１位としても良い（図２１参照）。ステップＳ３１が実行されると、ステップＳ３２に移行する。
【００９８】
ステップＳ３２では、優先順位の第１位が変更されたか否かを判断する。すなわち、指示対象が変更されたか否かを判断する。ここでの判断が肯定されるとステップＳ３４に移行し、否定されるとステップＳ３３に移行する。
【００９９】
ステップＳ３３では、指示対象が自車両に対して相対的に移動したか否かを判断する。具体的には、ＣＰＵ６０２が前回取得した指示対象の３次元位置情報と新たに取得した指示対象の３次元位置情報を比較することにより指示対象の移動の有無を判定する。ステップＳ３３での判断が肯定されるとステップＳ３４に移行し、否定されるとステップＳ２８に戻る。
【０１００】
ステップＳ３４では、指示表示の指示方向及び表示位置を再設定する。具体的には、ＣＰＵ６０２が指示対象の最新の３次元位置情報をＲＡＭ６０６から読み出し、表示制御手段９０２に送信する。表示制御手段９０２は、受信した指示対象の最新の３次元位置情報に基づいて指示表示の指示方向及び表示位置を再設定し、その設定情報を指示表示データ生成手段９０３に送信する。指示表示データ生成手段９０３は、受信した設定情報における指示方向及び表示位置と、指示表示の現在の表示位置から再設定後の表示位置までの移動経路及び該移動経路上での向き（図１８又は図２２参照）に関する情報を含む指示表示データを生成し、制御部８０６０に送信する。ステップＳ３４が実行されると、ステップＳ３５に移行する。
【０１０１】
ステップＳ３５では、指示表示の指示方向及び表示位置を再設定後の状態に移行させる。具体的には、制御部８０６０が、受信した指示表示データに基づいてＬＤ６１１１及びＭＥＭＳコントローラ６１５を制御して、指示表示を表示エリア内で再設定後の指示方向及び表示位置になるよう向きを変えつつ移動させる（図１８又は図２２参照）。ステップＳ３５が実行されると、ステップＳ２８に戻る。
【０１０２】
ステップＳ３６では、指示表示が表示されているか否かを判断する。ここでの判断が肯定されるとステップＳ３７に移行し、否定されるとステップＳ３８に移行する。
【０１０３】
ステップＳ３７では、指示表示を非表示とする。指示表示により指示すべき対象物が存在しない場合に指示表示を表示させる必要がなく、また誤解を招くからである。具体的には、ＣＰＵ６０２が制御部８０６０に非表示の要求を送信する。制御部８０６０は、非表示の要求を受信すると表示を停止させる。ステップＳ３７が実行されると、ステップＳ３８に移行する。
【０１０４】
ステップＳ３８では、処理終了か否かを判断する。ここでの判断が肯定されるとフローは終了し、否定されるとステップＳ２１に戻る。ここでは、ＨＵＤ装置１００が搭載される自動車（自車両）の電気系統がＯＮのままのときは処理を継続させ、ＯＦＦになったときに処理を終了させる。
【０１０５】
以下に、表示処理２の説明において参照した図２０〜図２２について補足説明を行う。
２０（Ａ）〜図２０（Ｃ）には、同一車線内にある対象物（例えば前方車両）のうち自車両に最も近いものの優先順位を第１位とする場合において指示対象を一の対象物から他の対象物へ切り替える手順の具体例が示されている。
【０１０６】
図２１（Ａ）〜図２１（Ｃ）には、自車両に最も近い対象物（例えば他の車両、歩行者、障害物等）の優先順位を第１位とする場合において指示対象を一の対象物から他の対象物へ切り替える手順の具体例が示されている。
【０１０７】
図２２（Ａ）及び図２２（Ｂ）には、自車両に最も近い対象物（例えば他の車両、歩行者、障害物等）の優先順位を第１位とする場合において指示対象を一の対象物を指示する状態から他の対象物を指示する状態に移行（移動）させる過程の具体例が示されている。
【０１０８】
図２２（Ｂ）では、指示表示の指示方向を移動経路上で徐々に変えているが、指示表示の指示方向を、再設定前又は再設定後の表示位置で１度に変えても良い。また、図２２（Ｂ）では、指示表示の移動経路を曲線としているが、直線としても良い。以上説明した図２２（Ｂ）の指示表示の移動経路及び該移動経路上での指示方向に関する議論は、図１８の移動経路及び該移動経路上での指示方向に関しても成立する。
【０１０９】
なお、以上の説明では、表示エリア内に単一の指示表示を表示し、該指示表示の指示方向及び表示位置を対象物の位置に追従させる例について説明したが、これに限られない。例えば表示エリア内に複数（例えば２つ）の指示表示を表示し、該複数の指示表示の指示方向及び表示位置をそれぞれ複数（例えば２つ）の対象物に追従させることとしても良い（図２３参照）。この際、指示表示により指示すべき優先順位が高い方の指示表示を低い方の指示表示よりも強調して表示することが好ましい（図２３（Ａ）及び図２３（Ｂ）参照）。図２３（Ａ）では、優先順位が高い（ここでは自車両に近い）一の対象物を指示する指示表示を黒塗りの矢印とし、優先順位が低い（ここでは自車両から遠い）他の対象物を指示する指示表示を白抜きの矢印としている。図２３（Ｂ）では、優先順位が高い（ここでは自車両に近い）他の対象物を指示する指示表示を黒塗りの矢印とし、優先順位が低い（ここでは自車両から遠い）一の対象物を指示する指示表示を白抜きの矢印としている。補足すると、一の対象物と他の対象物の優先順位が逆転し、図２３（Ａ）の状態から図２３（Ｂ）の状態に移行する際、一の対象物に追従する指示表示が黒塗りの矢印から白抜きの矢印に変更され、他の対象物に追従する指示表示が白抜きの矢印から黒塗りの矢印に変更される。なお、矢印の色を変えることに変えて、矢印の大きさ（長さや幅）を変えても良いし、矢印の色調（トーン）を変えても良いし、矢印の線を変えて（例えば実線と仮想線）も良い。
【０１１０】
また、図２４及び図２５に示されるように、同一対象物の移動や対象物間での優先順位の変化に応じて指示表示を、例えば基準点（例えば表示エリアの一の断面の下辺中点）を軸に回転させても良い。なお、例えば基準点を指示表示の重心とし、該重心を軸として指示表示を回転させても良い。
【０１１１】
図２４（Ａ）及び図２４（Ｂ）には、指示表示を同一対象物の移動に応じて基準点を軸に回転させる例が示されている。
【０１１２】
図２５（Ａ）及び図２５（Ｂ）には、指示表示を基準点を軸に回転させて一の対象物を指示する方向から他の対象物を指示する方向へ切り替える例が示されている。
【０１１３】
図２６（Ａ）には、指示表示を基準点を軸に回転させて同一対象物の移動に連続的に追従させる例が示されている。
【０１１４】
なお、図２６（Ｂ）に示されるように、指示表示を基準点を軸に回転させるとともに、指示表示の長さを変化させても良い。
【０１１５】
以上説明した本実施形態のＨＵＤ装置１００は、第１の観点からすると、車両に搭載されるＨＵＤ装置であって、車両に対する対象物の相対的な位置（以下では「相対位置」とも呼ぶ）を検出するレーザレーダ２００（検出系）と、該レーザレーダ２００での検出結果に基づいて、相対位置を指し示すための指示表示を表示エリア内に虚像として表示する、画像データ生成部８０４及び画像描画部８０６として機能する表示系と、を備え、該表示系は、指示表示の指示方向を相対位置の変化に追従させる表示制御手段９０２（制御手段）を含むＨＵＤ装置である。
【０１１６】
また、本実施形態のＨＵＤ装置１００は、第２の観点からすると、車両に搭載されるＨＵＤ装置において、車両に搭載され該車両に対する対象物の相対的な位置（以下では「相対位置」とも呼ぶ）を検出するレーザレーダ２００（検出装置）での検出結果に基づいて、相対位置を指し示すための指示表示を表示エリア内に虚像として表示する画像データ生成部８０４及び画像描画部８０６として機能する表示系を備え、該表示系は、指示表示の指示方向を相対位置の変化に追従させる表示制御手段９０２（制御手段）を含むことを特徴とするＨＵＤ装置である。
【０１１７】
ＨＵＤ装置１００では、指示表示の指示方向が対象物の相対位置の変化に追従するため、該相対位置が変化しても指示表示が対象物の位置を指し示すことができる。
【０１１８】
ＨＵＤ装置１００によれば、車両に対する対象物の相対的な位置を安定して正確に認識させることができる。
【０１１９】
一方、例えば特許文献１には、対象物を特定するためのマークを対象物に対して常に直接的に（近接させて）表示させる技術が開示されている。しかし、このようなマークは、表示エリアの大きさや対象物の相対位置によっては表示できない場合がある。すなわち、このようなマークの表示は、視認者から見て対象物が表示エリアに重なっている場合には可能であるが、重なっていない場合には不可能となる。また、仮にマークを表示エリア内に表示することとしても、マークの向きが対象物の位置の変化に追従しないため、マークが対象物から離れると対象物を特定できず、対象物の位置を認識させることもできない。
【０１２０】
ＨＵＤ装置１００では、視認者から見て対象物が表示エリアに重ならない場合でも、表示エリア内において指示表示により対象物の位置を指し示すことができる。また、指示表示の向きが対象物の位置の変化に追従するため、指示表示が対象物から離れても対象物の位置を認識させることができる。
【０１２１】
また、表示制御手段９０２は、指示表示の表示エリア内における表示位置を相対位置に追従させることが好ましい。この場合、指示表示を表示エリア内において対象物に近い位置に表示させることができるため、指示表示の指示方向のみならず表示位置によっても相対位置を認識させることができる。すなわち、対象物の位置をより安定して正確に認識させることができる。
【０１２２】
また、表示制御手段９０２は、車両内の基準視点と、表示エリア内の対象物寄りの点とを結ぶ線分上に指示表示を表示することが好ましい。「基準視点」とは、設計上の視認者の視点位置であって、任意の視認者の目が位置すると想定される所定領域内の任意の点を意味する。例えば視認者が車両の運転者である場合には、基準視点は車両内における運転席上方の所定領域内の任意の点となる。
【０１２３】
また、表示制御手段９０２は、対象物の少なくとも一部が表示エリアの画角内にある場合に、指示表示を、指示方向が上記線分に対して平行となるよう表示する。
【０１２４】
また、表示制御手段９０２は、対象物の全体が表示エリアの画角外にある場合に、指示表示を、指示方向が上記線分に対して角度を成すよう表示する。
【０１２５】
また、表示制御手段９０２は、指示表示を表示する際、該指示表示を表示エリア内において上記線分上で基準視点側（例えば表示エリアの基準点）から対象物寄りの点側へ移動させることが好ましい。なお、基準点は、表示エリアの外縁上にあることが好ましい。
【０１２６】
この場合、指示表示の動きによって相対位置を体感的により認識し易くすることができる。
【０１２７】
また、表示制御手段９０２は、対象物が複数ある場合に、指示表示で指示すべき優先順位が第１位の一の対象物を指示表示で指示する指示対象に決定し、優先順位の第１位が変更になったとき、指示対象を一の対象物から変更後の第１位の別の対象物に切り替えることが好ましい。この場合、常に、優先順位が第１位の対象物の相対位置を指示表示によって指示することができる。
【０１２８】
また、表示制御手段９０２は、指示対象を一の対象物から他の対象物に切り替えるとき、指示表示を表示エリア内において一の対象物に近い位置から他の対象物に近い位置に移動させることが好ましい。この場合、指示表示の動きによって、指示対象が一の対象物から他の対象物に切り替わったことを体感的により認識し易くすることができる。
【０１２９】
また、表示制御手段９０２は、例えば指示対象を切り替えるときや、指示表示を対象物の移動に追従させるときに、指示表示を曲線に沿って滑らかに移動させることが好ましい。この場合、例えば直線に沿って急激に移動させる場合に比べて、指示表示の動きを目で追い易くなり、指示対象がどの対象物からどの対象物に切り替わったかや、対象物がどの位置からどの位置へ移動したかをより認識し易くすることができる。
【０１３０】
また、表示制御手段９０２は、指示対象を一の対象物から他の対象物に切り替えるとき、その切り替えを認識させるための表示を表示エリア内で行うことが好ましい。この表示としては、例えば指示表示の指示方向や表示位置を変更中に該指示表示の輝度を上げて強調したり、点滅させたりすることが考えられる。
【０１３１】
また、表示制御手段９０２は、対象物が存在しない場合、指示表示を表示エリア内に表示しない。この場合、視認者に対象物が存在しないことを認識させることができ、また対象物があたかも存在すると誤認させることを抑制できる。
【０１３２】
また、表示系は、光により指示表示の画像を形成する、光走査装置１０及びスクリーン３０を含む形成手段と、上記画像を形成する光をフロントウインドシールド５０（透過反射部材）に導く凹面ミラー４０（導光手段）と、を含む。
【０１３３】
また、ＨＵＤ装置１００と、ＨＵＤ装置１００が搭載される車両と、を備える車両装置によれば、対象物の相対位置に応じた適切な運転操作を促進できる。
【０１３４】
また、本実施形態の表示方法１は、車両に対する対象物の相対的な位置（以下では「相対位置」とも呼ぶ）を指し示すための指示表示を表示エリア内に虚像として表示する表示方法であって、相対位置を検出する第１の検出工程と、指示表示を第１の検出工程で検出された相対位置に向けて表示する工程と、相対位置を検出する第２の検出工程と、第１及び第２の検出工程で検出された相対位置が異なる場合に、指示表示を第２の検出工程で検出された相対位置に向ける工程と、を含む表示方法である。この場合、指示表示の指示方向を対象物の相対位置の変化に追従させることができるため、該相対位置が変化しても指示表示が対象物の位置を指し示すことができる。この結果、車両に対する対象物の相対的な位置を安定して正確に認識させることができる。
【０１３５】
また、本実施形態の表示方法１は、相対位置を検出する第３の検出工程と、第２及び第３の検出工程で検出された相対位置が異なる場合に、指示表示を第３の検出工程で検出された相対位置に向ける工程と、を更に含むことが好ましい。この場合、指示表示の指示方向を対象物の相対位置の更なる変化に追従させることができるため、相対位置が更に変化しても指示表示が対象物の位置を指し示すことができる。
【０１３６】
また、本実施形態の表示方法２は、車両に対する対象物の相対的な位置を指し示す指示表示を虚像として表示する表示方法であって、対象物が複数ある場合に、該複数の対象物の位置を検出する第１の検出工程と、第１の検出工程での検出結果に基づいて、複数の対象物から指示表示で指示すべき優先順位が第１位の対象物を選択する第１の選択工程と、指示表示を第１の選択工程で選択された対象物の第１の検出工程で検出された位置に向けて表示する工程と、対象物が複数ある場合に、該複数の対象物の位置を検出する第２の検出工程と、第２の検出工程での検出結果に基づいて、複数の対象物から指示表示で指示すべき優先順位が第１位の対象物を選択する第２の選択工程と、第１及び第２の選択工程で選択された対象物が同一の場合、かつ該対象物の第１及び第２の検出工程で検出された位置が異なる場合に指示表示を該対象物の第２の検出工程で検出された位置に向け、第１及び第２の選択工程で選択された対象物が異なる場合に、指示表示を第２の選択工程で選択された対象物の第２の検出工程で検出された位置に向ける工程と、を含む表示方法である。この場合、指示表示の指示方向を対象物の相対位置の変化に追従させることができるため、該相対位置が変化しても指示表示が対象物の位置を指し示すことができる。さらに、優先順位の第１位が変更されたときに、指示対象を該変更前の対象物から該変更後の対象物に切り替えることができる。
【０１３７】
この結果、車両に対する対象物の相対的な位置を安定して正確に認識させることができる。さらに、指示対象の変化にも対応できる。
【０１３８】
また、本実施形態の表示方法２は、対象物が複数ある場合に、該複数の対象物の位置を検出する第３の検出工程と、第３の検出工程での検出結果に基づいて、複数の対象物から指示表示で指示すべき優先順位が第１位の対象物を選択する第３の選択工程と、第２及び第３の選択工程で選択された対象物が同一の場合、かつ該対象物の第２及び第３の検出工程で検出された位置が異なる場合に、指示表示を該対象物の第３の検出工程で検出された位置に向け、第２及び第３の選択工程で選択された対象物が異なる場合に、指示表示を第３の選択工程で選択された対象物の第３の検出工程で検出された位置に向ける工程と、を更に含むことが好ましい。この場合、優先順位の第１位が更に変更されたときに、指示対象を該変更前の対象物から該変更後の対象物に切り替えることができる。
【０１３９】
また、上記実施形態では、指示表示の指示方向及び表示位置の設定を、表示制御手段９０２が行うこととしているが、例えば制御部８０６０やＣＰＵ６０２が行うこととしても良い。この場合には表示制御手段９０２は不要であり、制御部８０６０やＣＰＵ６０２が本発明の「制御手段」として機能する。
【０１４０】
また、上記実施形態では、本発明の「制御手段」を、表示制御手段９０２で構成しているが、表示制御手段９０２に加えて、指示表示データ生成手段９０３を含んで構成しても良い。
【０１４１】
さらに、上記実施形態では、指示表示の指示方向及び表示位置の設定情報に基づいて指示表示の画像データを、指示表示データ生成手段９０３が生成することとしているが、例えば制御部８０６０やＣＰＵ６０２が生成することとしても良い。この場合には、指示表示データ生成手段９０３は不要である。
【０１４２】
また、上記実施形態では、虚像を視認する者として車両の運転者を例にとって説明したが、虚像を視認する者であれば車両の運転者以外の者（例えば車両に乗っている運転者以外の者）であっても良い。
【０１４３】
また、上記実施形態のＨＵＤ装置において、導光手段は、凹面ミラー４０（凹面鏡）から構成されているが、これに限らず、例えば、凸面鏡から構成されても良いし、曲面鏡（凹面鏡や凸面鏡）と、該曲面鏡とスクリーン３０との間に配置された折り返しミラーとを含んで構成されても良い。
【０１４４】
また、上記実施形態では、光走査装置は、走査ミラー２０を有しているが、有していなくても良い。
【０１４５】
また、上記実施形態では、光源としてＬＤ（端面発光レーザ）を用いているが、例えば面発光レーザ等の他のレーザ等を用いても良い。
【０１４６】
また、上記実施形態では、ＨＵＤ装置は、カラー画像に対応するように構成されているが、モノクロ画像に対応するように構成されても良い。
【０１４７】
また、透過反射部材は、車両のフロントウインドシールドに限らず、例えばサイドウインドシールド、リアウインドシールド等であっても良く、要は、透過反射部材は、虚像を視認する視認者が搭乗する車両に設けられ、該視認者が車両の外部を視認するための窓部材（ウインドシールド）であることが好ましい。
【０１４８】
また、上記実施形態では、ＨＵＤ装置は、例えば自動車に搭載されるものを一例として説明したが、要は、路面上を走行する車両に搭載されるものであれば良い。例えば、本発明の車両装置に用いられる車両としては、４輪の自動車に限らず、自動二輪車、自動三輪車等であっても良い。この場合、透過反射部材としてのウインドシールドもしくはコンバイナを装備する必要がある。また、車両の動力源としては、例えばエンジン、モータ、これらの組み合わせ等が挙げられる。
【０１４９】
また、上記実施形態に記載した具体的な数値、形状等は、一例であって、本発明の趣旨を逸脱しない範囲で適宜変更である。
【符号の説明】
【０１５０】
１０…光走査装置（表示系の一部、形成手段の一部）、３０…スクリーン（表示系の一部、形成手段の一部）、４０…凹面ミラー（表示系の一部、導光手段）、１００…ＨＵＤ装置、２００…レーザレーダ（検出系、検出装置）、９０２…表示制御手段（制御手段、表示系の一部）。
【先行技術文献】
【特許文献】
【０１５１】
【特許文献１】特開２０００‐５７４９１号公報
【図１】
2018106655.tif 000003
【図２】
2018106655.tif 000004
【図３】
2018106655.tif 000005
【図４】
2018106655.tif 000006
【図５】
2018106655.tif 000007
【図６】
2018106655.tif 000008
【図７】
2018106655.tif 000009
【図８】
2018106655.tif 000010
【図９】
2018106655.tif 000011
【図１０】
2018106655.tif 000012
【図１１】
2018106655.tif 000013
【図１２】
2018106655.tif 000014
【図１３】
2018106655.tif 000015
【図１４】
2018106655.tif 000016
【図１５】
2018106655.tif 000017
【図１６】
2018106655.tif 000018
【図１７】
2018106655.tif 000019
【図１８】
2018106655.tif 000020
【図１９】
2018106655.tif 000021
【図２０】
2018106655.tif 000022
【図２１】
2018106655.tif 000023
【図２２】
2018106655.tif 000024
【図２３】
2018106655.tif 000025
【図２４】
2018106655.tif 000026
【図２５】
2018106655.tif 000027
【図２６】
2018106655.tif 000028